(57)【要約】【課題】作業足場板の高さが調整可能で、しかも、広い作業面積を確保することができ、単一の構造で広範な作業条件に適応することが可能となり、高所作業の安全性と能率向上に寄与することができる簡易足場を提供する。【解決手段】対向させた二台の梯子をブレースと横棧で結合し、この二台の梯子を、両側に所定の間隔をおいて並列状に配置し、並列する両側梯子の上部を角パイプで互に結合し、この角パイプの両端部に、この角パイプと接地面との間に両側において下部広がりに配置する安定支持杆の上端を結合する。【選択図】図１
0003116222.tif 000002
【実用新案登録請求の範囲】
【請求項１】
踏棧間に足場板を架設するよう対向させた二台の梯子を、所定の間隔で上部が互に相手側に向けて傾斜する起立状態になるようブレースと横棧で結合し、この二台の梯子を二組、両側に所定の間隔をおいて並列状に配置し、並列する両側梯子の上部を角パイプで互に結合し、この角パイプの両端部に、この角パイプと接地面との間に両側において下部広がりに配置する安定支持杆の上端を結合した簡易足場。
【請求項２】
上記各梯子の下端部に、移動用のキャスターが設けられている請求項１に記載の簡易足場。
【請求項３】
上記各梯子に対してブレースと横棧が、梯子の縦支柱の側面に固定したブラケットに、ブレースと横棧の端部をボルトとナットで締結して結合されている請求項１又は２に記載の簡易足場。
【請求項４】
上記各梯子に対して角パイプが、梯子に固定した受け金物に角パイプをボルトとナットで締結して結合され、この角パイプに対して安定支持杆は、角パイプの下面に固定した回転金物に安定支持杆の上端を嵌め込み、この嵌め込み部分をボルトとナットで結合することにより、角度可変に枢止されている請求項１乃至３の何れかに記載の簡易足場。
【請求項５】
上記安定支持杆が、長さの調節が自在となり、その下端に接地用の滑り止めユニットが角度可変に取付けられている請求項１乃至４の何れかに記載の簡易足場。
【考案の詳細な説明】
【技術分野】
【０００１】
この考案は、内装工事等に使用する簡易足場、更に詳しくは、対向配置した二台の梯子を二組用いて組み立て、安定した広い作業面積を確保できると共に、作業の条件や進行に合わせて足場板の高さ位置を自由に調整することができる簡易足場に関する。
【背景技術】
【０００２】
例えば、建物の内装工事等において、手の届かないような高所位置の作業を行う場合、作業者が載るための足場を用いることになるが、鋼管をパイプジョイントで結合して組み立てる仮設足場では、組み立てと解体に手間と時間がかかり、このような大掛かりな足場では建物内での使用に不向きであるため、建物内への搬入、搬出が容易で簡単に移動できる簡易足場の使用が必要になる。
【０００３】
従来、建物の内装工事等における簡易足場としては、一対の梯子脚の上端を踏板の下面に結合し、両梯子脚の平行状態での折畳みと両側への開脚が自在となるようにした脚立が一般的に用いられている。
【考案の開示】
【考案が解決しようとする課題】
【０００４】
ところで、建物の内装工事等においては、作業の進行と共に作業の高さ位置が変化するが、脚立のような足場では高さ寸法の調整ができないため、高さの異なる脚立を複数種類用意しなければならないと共に、高さの適合しない脚立で無理な作業を行うと、極めて危険である。
【０００５】
また、梯子脚における上端の踏板は平面的に狭く、作業中の移動可能な範囲が制限されているため、作業と共に脚立を移動させなければならず、作業の能率を低下させる原因になっている。
【０００６】
そこで、この考案の課題は、上記した問題点を解決するため、作業足場板の高さを自由に調整することができ、しかも、広い作業面積を確保することができ、単一の構造で広範な作業条件に適応することが可能となり、高所作業の安全性と能率向上に寄与することができる簡易足場を提供することにある。
【課題を解決するための手段】
【０００７】
上記の課題を解決するため、この考案は、踏棧間に足場板を架設するよう対向させた二台の梯子を、所定の間隔で上部が互に相手側に向けて傾斜する起立状態になるようブレースと横棧で結合し、この二台の梯子を、両側に所定の間隔をおいて並列状に配置し、並列する両側梯子の上部を角パイプで互に結合し、この角パイプの両端部に、この角パイプと接地面との間に両側において下部広がりに配置する安定支持杆の上端を結合した構成を採用したものである。
【０００８】
上記各梯子の下端部に、移動用のキャスターを設け、簡易足場の移動が円滑に行えるようにしたり、上記各梯子に対してブレースと横棧が、梯子の縦支柱の側面に固定したブラケットに、ブレースと横棧の端部をボルトとナットで締結して結合され、簡易足場の組み立てと解体が簡単に行えるようにすることができる。
【０００９】
また、上記各梯子に対して角パイプが、梯子に固定した受け金物に角パイプをボルトとナットで締結して結合され、この角パイプに対して安定支持杆は、角パイプの下面に固定した回転金物に安定支持杆の上端を嵌め込み、この嵌め込み部分をボルトとナットで結合することにより、角度可変に枢止されているようにすることができる。
【００１０】
更に、上記安定支持杆を、長さの調節が自在となり、その下端に接地用の滑り止めユニットが角度可変に取付けられているようにしてもよい。
【００１１】
ここで、梯子は、所定長さを有する両側縦支柱間に一定間隔で踏棧を設けて形成され、両側縦支柱の下端が移動用キャスター台の上に、梯子が角度可変となるよう取付けられている。
【００１２】
簡易足場は、両側の対向する梯子の所定高さの踏棧間にそれぞれ足場板を架設し、この両側足場板間の上に足場板を掛け渡せば、広い面積の作業足場を確保することができ、作業能率の向上が図れると共に、対向する梯子の踏棧に足場板を掛け渡すとき、踏棧を選ぶことによって足場板の高さを、踏棧のピッチで選択することができる。
【００１３】
また、簡易足場は、対向させた二台の梯子を、相手側に向けて傾斜する起立状態になるようブレースと横棧で結合し、両側に所定の間隔をおいて並列状に配置した二台の梯子の並列する両側梯子の上部を角パイプで互に結合し、この角パイプの両端部に安定支持杆を下部広がりに配置することにより、揺れに対する強度の確保ができる。
【考案の効果】
【００１４】
この考案によると、対向させた二台の梯子を上部が互に相手側に向けて傾斜する起立状態になるよう結合し、この二台の梯子を、両側に所定の間隔をおいて並列状に配置し、並列する両側梯子の上部を角パイプで互に結合したので、両側の対向する梯子の所定高さの踏棧間にそれぞれ足場板を架設し、この両側足場板間の上に足場板を掛け渡せば、広い面積の作業足場を確保することができ、作業能率の向上が図れると共に、対向する梯子の踏棧に足場板を掛け渡すとき、踏棧を選ぶことによって足場板の高さを、踏棧のピッチで自由に調整することができ、高さの変化によって単一の構造で広範な作業条件に適応することが可能となり、作業条件に応じた高さに設定することで、高所作業の安全性向上に寄与することができ、しかも、足場板の配置を選ぶことによって広い作業面積を確保することができる。
【００１５】
また、並列状に配置した二台の梯子の並列する両側梯子の上部を角パイプで互に結合し、この角パイプの両端部に安定支持杆を下部広がりに配置することにより、二台の梯子の対向方向と並列方向の揺れに対する支持力が向上し、何れの方向に対しても揺れに対する強度の確保ができ、高所作業の安全性を一段と向上させることができる。
【考案を実施するための最良の形態】
【００１６】
以下、この考案の実施の形態を図示例に基づいて説明する。
【００１７】
図示のように、簡易足場Ａは、対向させた二台の梯子１を、所定の間隔で上部が互に相手側に向けて所定の角度で傾斜する起立状態になるよう、一方の側面をブレース２と横棧３で結合し、この二台の梯子１を二組、両側に所定の間隔をおいて並列状に配置し、並列する両側梯子１の上部を角パイプ４で互に結合し、この角パイプ４の両端部に、この角パイプ４と接地面との間に、両側において下部広がりに配置する安定支持杆５の上端を結合して組み立てられている。
【００１８】
上記梯子１は、所定長さを有する両側縦支柱１ａ間に一定間隔で踏棧１ｂを設けて形成され、両側縦支柱１ａの下端が移動用キャスター台６の上に、梯子１が面方向に角度可変となるようブラケット７で取付けられ、キャスター８によって移動自在になっている。
【００１９】
上記梯子１に対するブレース２と横棧３の結合は、図４と図５のように、梯子１の縦支柱１ａで、並列する梯子１の外側となる側面で上下の位置にアルミ製のブラケット９をカシメ等によって固定し、パイプを用いたブレース２の端部とアルミの角パイプを用いた横棧３の端部を上記ブラケット９にボルトとナット１０で締結する構造になっており、横棧３は上下の位置で対向する梯子１を結合し、ブレース２はＸ字状となって対向する梯子１を結合し、この結合によって、対向する梯子１は、例えば７５°の傾斜角度で起立するように保持されている。
【００２０】
なお、図１と図５のように、対向する梯子１の縦支柱１ａで、並列する梯子１の内側となる側面の下部の位置にもブラケット９を固定し、横棧３の端部を上記ブラケット９にボルトとナット１０で締結するようにしている。
【００２１】
このように、ブラケット９にボルトとナット１０でブレース２と横棧３を締結するようにすると、簡易足場Ａの組み立てと解体が簡単に行えるようになる。
【００２２】
上記梯子１と角パイプ４の結合は、図６のように、対向する梯子１の縦支柱１ａで互に対向する面の上部に両端が外方に屈曲するコ字状の受け金物１１をリベットで固定し、この受け金物１１の内部に挿通した角パイプ４と受け金物１１をボルトとナット１２で締結して固定するようになっている。
【００２３】
この角パイプ４の両端に取付ける安定支持杆５は、図６のように、アルミ製の大径角パイプ５ａと小径角パイプ５ｂを嵌め合わせて伸縮自在とし、大径角パイプ５ａに複数の長さ調整孔１３を長さ方向に一定間隔の配置で設け、小径角パイプ５ｂの下端側の位置にも同様の調整孔を設け、両者の調整孔１３にボルト１４を挿通してナットを螺締めすることにより、大径角パイプ５ａと小径角パイプ５ｂを固定化すると共に、ボルト１４を挿通する調整孔１３の位置を選ぶことにより、調整孔１３の間隔で長さが調節できるようになっている。
【００２４】
角パイプ４の端部と安定支持杆５の結合は、図７のように、角パイプ４の端部下面にボルトとナット１５で固定した下向きコ字状の回転金物１６に安定支持杆５の上端を嵌め込み、この嵌め込み部分をボルトとナット１７で締結することにより、安定支持杆５を角パイプ４の長さ方向に沿って角度可変に枢止した構造になっている。
【００２５】
上記安定支持杆５の下端には、安定支持杆５の角度可変方向に揺動可能となる接地用の滑り止めユニット１８が取付けられている。
【００２６】
この考案の簡易足場は上記のような構成であり、簡易足場を構成する合計４台の梯子１と、二組のブレースと、２本が短く４本が長い合計６本の横棧と、２本の角パイプと、合計４本の安定支持杆及び別途必要枚数の足場板が、分解した状態で搬送や格納に供される。
【００２７】
作業現場において簡易足場Ａを組み立てるには、図２のように、キャスターを接地させて対向状とした二台の梯子を、所定の間隔で上部が互に相手側に向けて傾斜する起立状態になるようにブレースと横棧で結合し、この二台の結合した梯子を二組、両側に所定の間隔をおいて並列状に配置し、並列する両側梯子の上部を長い水平の角パイプで互に結合し、この角パイプの梯子から突出する両端部に、所定長さに調節した安定支持杆の上端を結合し、この安定支持杆を角パイプと接地面との間において、下端の滑り止めユニットを接地させて両側へ下部広がり状に配置し、この後、対向する両梯子１の踏棧１ｂ間に足場板１９を架設し、更に両側足場板間に足場板を掛け渡せば簡易足場Ａが組みあがる。
【００２８】
各梯子１は、所定の傾斜角度で起立することになり、足場板への昇降に用いられ、足場板の上に載って作業を行えばよく、対向状に結合した二台の梯子１を、二組並列配置して角パイプで結合し、角パイプの両端に安定支持杆を両側へ下部広がり状に配置することより、簡易足場Ａは、四隅に安定支持杆が位置し、梯子と梯子の面方向と横方向の何れにも振れ止め強度が向上し、足場板上での作業が安全に行える。
【００２９】
また、簡易足場Ａの足場板の高さは、対向する梯子において、足場板を架設する踏棧の選択によって調節することができ、踏棧のピッチ間隔で作業内容に適応した最適の高さを確保することができる。
【００３０】
更に、作業内容に応じて、対向する両梯子１間の両側足場板１９間に掛け渡す足場板の枚数や掛け渡し位置を選べばよく、広い作業面積を確保することができる。
【００３１】
なお、使用済み後の簡易足場Ａは、組み立て時と逆の手順で解体し、二組のブレースと、合計６本の横棧と、２本の角パイプと、合計４本の安定支持杆及び足場板を分解した状態にして搬出すればよい。
【図面の簡単な説明】
【００３２】
【図１】簡易足場の組み立て状態を示す斜視図
【図２】簡易足場の組み立て状態を示す正面図
【図３】簡易足場の組み立て状態を示す側面図
【図４】図２の矢印IV−IVに沿って梯子とブレース及び上部横棧の結合構造を示す拡大した横断平面図
【図５】図２の矢印Ｖ−Ｖに沿って梯子とブレース及び下部横棧の結合構造を示す拡大した横断平面図
【図６】簡易足場の組み立て要部を拡大して示す安定支持杆の垂下状態での正面図
【図７】簡易足場の梯子と安定支持杆の結合部分を示す拡大した側面図
【図８】簡易足場の梯子とブレース及び下部横棧の結合部分を示す拡大した側面図
【符号の説明】
【００３３】
１        梯子
２        ブレース
３        横棧
４        角パイプ
５        安定支持杆
６        移動用キャスター台
７        ブラケット
８        キャスター
９        ブラケット
１０      ボルトとナット
１１      受け金物
１２      ボルトとナット
１３      長さ調整孔
１４      ボルト
１５      ボルトとナット
１６      回転金物
１７      ボルトとナット
１８      滑り止めユニット
１９      足場板
【図１】
0003116222.tif 000003
【図２】
0003116222.tif 000004
【図３】
0003116222.tif 000005
【図４】
0003116222.tif 000006
【図５】
0003116222.tif 000007
【図６】
0003116222.tif 000008
【図７】
0003116222.tif 000009
【図８】
0003116222.tif 000010